(57)【要約】【課題】室内外を問わず機器の作動状態を確認しながら、容易に操作する。【解決手段】操作者の操作が操作信号として検知され、検知された操作信号が記憶される（Ｓ２０８）。記憶された操作信号は、予め定められた時間ごとに取出され（Ｓ２１０）、取出された操作信号に基づいて、制御信号が電気機器に送信される（Ｓ２１６、Ｓ２１８）。制御信号が電気機器に送信されると、制御信号を送信した電気機器の作動に関する情報が受信され（Ｓ２２０）、携帯電話の画面に表示されている電気機器の作動に関する情報が更新される（Ｓ２３０）。【選択図】        図１３
2005027025.tif 000002
【特許請求の範囲】
【請求項１】
機器を遠隔操作する遠隔操作装置であって、
前記遠隔操作装置の操作者による操作を、操作信号として検知するための操作信号検知手段と、
少なくとも時間に関する予め定められた条件を満たすように、前記操作信号に基づいて、前記機器の設定を変更するための制御信号を前記機器に送信するための送信手段と、
前記制御信号が送信された機器の作動に関する情報を受信するための受信手段と、
前記受信した情報に基づいて、前記制御信号が送信された機器の作動状態を、前記操作者に報知するための手段とを含む、遠隔操作装置。
【請求項２】
前記遠隔操作装置は、複数の機器を選択的に遠隔操作するように、前記複数の機器のうち、遠隔操作を行なう機器を指定するための手段をさらに含む、請求項１に記載の遠隔操作装置。
【請求項３】
前記時間に関する予め定められた条件は、予め定められた時間ごとに前記制御信号を送信するという条件である、請求項１または２に記載の遠隔操作装置。
【請求項４】
前記時間に関する予め定められた条件は、前記操作者が操作を行なってから予め定められた時間が経過するまでに次の操作が行なわれなかった場合は前記制御信号を送信するという条件である、請求項１または２に記載の遠隔操作装置。
【請求項５】
前記送信手段は、前記時間に関する予め定められた条件を満たすことに加えて、遠隔操作を行なう機器の変更に関する条件を満たすように、前記制御信号を送信するための手段を含む、請求項１ないし４のいずれかに記載の遠隔操作装置。
【請求項６】
前記操作信号には、複数の種類があり、
前記遠隔操作装置は、
前記操作信号の種類の数を判別するための手段と、
前記操作信号が検知された順番を記憶するための手段とをさらに含み、
前記送信手段は、前記操作信号の種類が１つであると判別された場合は、最後に検知された操作信号に基づいて前記制御信号を送信するための手段を含む、請求項１ないし５のいずれかに記載の遠隔操作装置。
【請求項７】
前記操作信号には、複数の種類があり、
前記遠隔操作装置は、前記操作信号の種類の数を判別するための手段をさらに含み、
前記送信手段は、前記操作信号の種類が複数であると判別された場合は、前記操作信号検知手段により検知された全ての操作信号に基づいて制御信号を送信するための手段を含む、請求項１ないし５のいずれかに記載の遠隔操作装置。
【請求項８】
前記受信手段は、前記遠隔操作装置が起動する際に前記機器の作動に関する情報を受信するための手段を含む、請求項１ないし７のいずれかに記載の遠隔操作装置。
【請求項９】
機器を遠隔操作する遠隔操作方法であって、
遠隔操作装置の操作者による操作を、操作信号として検知する操作信号検知ステップと、
少なくとも時間に関する予め定められた条件を満たすように、前記操作信号に基づいて、前記機器の設定を変更する制御信号を前記機器に送信する送信ステップと、
前記制御信号が送信された機器の作動に関する情報を受信する受信ステップと、
前記受信した情報に基づいて、前記制御信号が送信された機器の作動状態を、前記操作者に報知するステップとを含む、遠隔操作方法。
【請求項１０】
前記遠隔操作方法は、複数の機器を選択的に遠隔操作するように、前記複数の機器のうち、遠隔操作を行なう機器を指定するステップをさらに含む、請求項９に記載の遠隔操作方法。
【請求項１１】
前記時間に関する予め定められた条件は、予め定められた時間ごとに前記制御信号を送信するという条件である、請求項９または１０に記載の遠隔操作方法。
【請求項１２】
前記時間に関する予め定められた条件は、前記操作者が操作を行なってから予め定められた時間が経過するまでに次の操作が行なわれなかった場合は前記制御信号を送信するという条件である、請求項９または１０に記載の遠隔操作方法。
【請求項１３】
前記送信ステップは、前記時間に関する予め定められた条件を満たすことに加えて、遠隔操作を行なう機器の変更に関する条件を満たすように、前記制御信号を送信するステップを含む、請求項９ないし１２のいずれかに記載の遠隔操作方法。
【請求項１４】
前記操作信号には、複数の種類があり、
前記遠隔操作方法は、
前記操作信号の種類の数を判別するステップと、
前記操作信号が検知された順番を記憶するステップとをさらに含み、
前記送信ステップは、前記操作信号の種類が１つであると判別された場合は、最後に検知された操作信号に基づいて前記制御信号を送信するステップを含む、請求項９ないし１３のいずれかに記載の遠隔操作方法。
【請求項１５】
前記操作信号には、複数の種類があり、
前記遠隔操作方法は、前記操作信号の種類の数を判別するステップをさらに含み、
前記送信ステップは、前記操作信号の種類が複数であると判別された場合は、前記操作信号検知ステップにより検知された全ての操作信号に基づいて制御信号を送信するステップを含む、請求項９ないし１３のいずれかに記載の遠隔操作方法。
【請求項１６】
前記遠隔操作方法は、前記機器を遠隔操作する前記遠隔操作装置により実行され、
前記受信ステップは、前記遠隔操作装置が起動する際に前記機器の作動に関する情報を受信するステップを含む、請求項９ないし１５のいずれかに記載の遠隔操作方法。
【請求項１７】
請求項９ないし１６のいずれかに記載の遠隔操作方法を、遠隔操作装置に実行させるプログラム。
【請求項１８】
請求項１７に記載のプログラムを記録した記録媒体。
【発明の詳細な説明】
【０００１】
【発明の属する技術分野】
本発明は、自宅などの屋内に設置された電気機器を遠隔操作する遠隔操作装置、遠隔操作方法、その方法を実行させるプログラム、および記録媒体に関し、特に、屋外からでも遠隔操作可能な遠隔操作装置、遠隔操作方法、その方法を実行させるプログラム、および記録媒体に関する。
【０００２】
【従来の技術】
従来より、エアコン、テレビ、ビデオ、オーディオ等の電気機器を操作する場合には、付属の専用リモコンにより遠隔操作を行なっている。また、複数の電気機器を単一のリモコンで遠隔操作可能な学習機能付きのリモコンも知られている。これらのリモコンを用いて遠隔操作する際は、無線信号を発信する出力部を電気機器に向け、変更したい設定項目と対応したボタンを押し、所望の設定に変更するだけでよい。しかしながら、これらのリモコンは、電気機器にその作動を指示するのみであるため、電気機器の作動状況をリモコンを用いて確認できない。そのため、屋内など、操作者が電気機器の作動状況を目視などで直接確認できるような限られた範囲内でのみ使用するものであった。
【０００３】
一方、屋外から電気機器の操作を行なうことができる遠隔操作システムとして、特開２００２−２８１１６９号公報（特許文献１）に、外出先から携帯電話を用い、インターネットを介して電気機器を操作する遠隔操作システムが開示されている。特許文献１に記載の遠隔操作システムは、携帯電話網を通してインターネットに接続する機能を有するとともに、ホームページを閲覧する機能を有する携帯電話機と、インターネットと電話回線などの通信回線に接続され、ホームページを提供するサービス機器と、通信回線に接続され家電品を制御するとともに、家電品の状況を検知する機能を有する遠隔操作アダプタとを含む。サービス機器は、家電品の操作を指示する画面をホームページとして携帯電話機に提供するとともに、ホームページで指示された家電品の操作の内容を、遠隔操作アダプタに送信する。遠隔操作アダプタは、サービス機器が送信する家電品の操作の内容を受信し、遠隔操作アダプタに接続された家電品を制御する。また、遠隔操作アダプタから家電品の作動に関する情報が送信され、ホームページに表示される。この遠隔操作システムにおいては、利用者が携帯電話を用いてホームページにアクセスすると、家電品の作動に関する情報と、設定可能な項目とがホームページに表示される。表示された項目を選択し、家電品の設定をした上で、決定ボタンを選択すると、携帯電話からサービス機器を介して遠隔操作アダプタに設定内容が送信され、遠隔操作アダプタにより家電品が制御される。家電品が制御されると、制御結果が反映されたホームページが携帯電話機に送信される。
【０００４】
この公報に開示された発明によれば、インターネット接続機能を持つ携帯電話機を利用して、携帯電話機の画面に表示されるホームページを見ながら、あるいは、ホームページを利用した対話型ユーザインタフェースを用いて、家庭内の家電品の遠隔操作を行うことが可能となる。
【０００５】
【特許文献１】
特開２００２−２８１１６９号公報
【０００６】
【発明が解決しようとする課題】
しかしながら、特開２００２−２８１１６９号公報に記載の遠隔操作装置は、外出先および屋内の両方から、１台の携帯電話を用いて複数の電気機器を操作可能であるが、操作を行なう際は、ホームページに表示された項目を選択し、設定後に決定ボタンを選択する必要がある。そのため、たとえばエアコンの温度だけを変更する際にも、温度の設定後に決定ボタンを選択しなければならない。そのため、従来のリモコンのように、変更したい設定項目と対応したボタンを押すだけで電気機器の設定が完了するものに比べて、操作入力が煩わしい。
【０００７】
本発明は、上述の問題を解決するためになされたものであって、その目的は、屋内外を問わず機器の作動状態を確認しながら操作することができ、かつ操作入力が簡便な遠隔操作装置、遠隔操作方法、その方法を実行させるプログラム、および記録媒体を提供することにある。
【０００８】
【課題を解決するための手段】
第１の発明に係る遠隔操作装置は、機器を遠隔操作する装置である。この遠隔操作装置は、この装置の操作者による操作を、操作信号として検知するための操作信号検知手段と、少なくとも時間に関する予め定められた条件を満たすように、操作信号に基づいて、機器の設定を変更するための制御信号を機器に送信するための送信手段と、制御信号が送信された機器の作動に関する情報を受信するための受信手段と、受信した情報に基づいて、制御信号が送信された機器の作動状態を、操作者に報知するための手段とを含む。
【０００９】
第１の発明によれば、操作信号検知手段は、遠隔操作装置の操作者による操作を、操作信号として検知する。送信手段は、少なくとも時間に関する予め定められた条件を満たすように、操作信号に基づいて、機器の設定を変更するための制御信号を機器に送信する。これにより、たとえば、予め定められた時間ごとに制御信号を送信するようにすれば、遠隔操作装置により自動的に制御信号が送信される。そのため、操作者は、遠隔操作装置に対して、制御信号の送信を指示する操作を別途行なう必要がない。また、受信手段により、機器の作動に関する情報が受信され、機器の作動状態が操作者に報知される。このため、操作者は、たとえば屋外から操作した場合であっても、機器の作動状態を確認しながら操作を行なうことができる。その結果、屋内外を問わず機器の作動状態を確認しながら操作することができ、かつ操作入力が簡便な遠隔操作装置を提供することができる。
【００１０】
第２の発明に係る遠隔操作装置は、第１の発明の構成に加え、複数の機器を選択的に遠隔操作するように、複数の機器のうち、遠隔操作を行なう機器を指定するための手段をさらに含む。
【００１１】
第２の発明によれば、複数の機器のうち、遠隔操作装置を行なう機器を指定することができる。これにより、たとえば１つの遠隔操作装置で、複数の機器を操作することができる。
【００１２】
第３の発明に係る遠隔操作装置においては、第１または第２の発明の構成に加え、時間に関する予め定められた条件は、予め定められた時間ごとに制御信号を送信するという条件である。
【００１３】
第３の発明によれば、送信手段は、予め定められた時間ごとに制御信号を機器に送信することができる。
【００１４】
第４の発明に係る遠隔操作装置においては、第１または第２の発明の構成に加え、時間に関する予め定められた条件は、操作者が操作を行なってから予め定められた時間が経過するまでに次の操作が行なわれなかった場合は制御信号を送信するという条件である。
【００１５】
第４の発明によれば、操作者が操作を行なってから予め定められた時間が経過するまでに次の操作が行なわれなかった場合に、制御信号を機器に送信することができる。
【００１６】
第５の発明に係る遠隔操作装置においては、第１ないし第４のいずれかの発明の構成に加え、送信手段は、時間に関する予め定められた条件を満たすことに加えて、遠隔操作を行なう機器の変更に関する条件を満たすように、制御信号を送信するための手段を含む。
【００１７】
第５の発明によれば、送信手段は、時間に関する予め定められた条件を満たすことに加えて、遠隔操作を行なう機器の変更に関する条件を満たすように、制御信号を送信する。これにより、たとえば、遠隔操作を行なう機器を変更する際に制御信号が送信されるようにすることができる。
【００１８】
第６の発明に係る遠隔操作装置においては、第１ないし第５のいずれかの発明の構成に加え、操作信号には、複数の種類があり、遠隔操作装置は、操作信号の種類の数を判別するための手段と、操作信号が検知された順番を記憶するための手段とをさらに含み、送信手段は、操作信号の種類が１つであると判別された場合は、最後に検知された操作信号に基づいて制御信号を送信するための手段を含む。
【００１９】
第６の発明によれば、制御信号には複数の種類があり、制御信号の種類が１つである場合は、最後に検知された操作信号に基づいた制御信号が送信される。これにより、たとえば同一種類で複数の操作信号が検知された場合は、全ての操作信号に基づいて制御信号を送信することが無くなり、最後に操作者が行なった操作に基づいて制御信号を送信することができる。その結果、送信される制御信号の数を抑制し、遠隔操作装置の負担を抑制することができる。
【００２０】
第７の発明に係る遠隔操作装置においては、第１ないし第５のいずれかの発明の構成に加え、操作信号には、複数の種類があり、遠隔操作装置は、操作信号の種類の数を判別するための手段をさらに含み、送信手段は、操作信号の種類が複数であると判別された場合は、操作信号検知手段により検知された全ての操作信号に基づいて制御信号を送信するための手段を含む。
【００２１】
第７の発明によれば、制御信号には複数の種類があり、制御信号の種類が１つである場合は、検知された全ての操作信号に基づいた制御信号が送信される。これにより、操作者の全ての操作に基づいて制御信号を送信することができる。その結果、操作者の意図に応じた制御信号を確実に送信することができる。
【００２２】
第８の発明に係る遠隔操作装置においては、第１ないし第７のいずれかの発明の構成に加え、受信手段は、遠隔操作装置が起動する際に、機器の作動に関する情報を受信するための手段を含む。
【００２３】
第８の発明によれば、遠隔操作装置が起動する際に、機器の作動に関する情報が受信される。これにより、機器を遠隔操作する際は、機器の作動状態を確認してから操作を行なうことができる。その結果、機器の作動状態に応じて適切に遠隔操作を行なうことができる。
【００２４】
第９の発明に係る遠隔操作方法は、機器を遠隔操作する方法である。この遠隔操作方法は、遠隔操作装置の操作者による操作を、操作信号として検知する操作信号検知ステップと、少なくとも時間に関する予め定められた条件を満たすように、操作信号に基づいて、機器の設定を変更する制御信号を機器に送信する送信ステップと、制御信号が送信された機器の作動に関する情報を受信する受信ステップと、受信した情報に基づいて、制御信号が送信された機器の作動状態を、操作者に報知する報知ステップとを含む。
【００２５】
第９の発明によれば、操作信号検知ステップにて、遠隔操作装置の操作者による操作が、操作信号として検知される。送信ステップにて、少なくとも時間に関する予め定められた条件を満たすように、操作信号に基づいて、機器の設定を変更するための制御信号が機器に送信される。これにより、たとえば、予め定められた時間ごとに制御信号を送信するようにすれば、遠隔操作装置により自動的に制御信号が送信される。そのため、操作者は、遠隔操作装置に対して、制御信号の送信を指示する操作を別途行なう必要がない。また、受信手段により、機器の作動に関する情報が受信され、機器の作動状態が操作者に報知される。このため、操作者は、たとえば屋外から操作した場合であっても、機器の作動状態を確認しながら操作を行なうことができる。その結果、屋内外を問わず機器の作動状態を確認しながら操作することができ、かつ操作入力が簡便な遠隔操作装置を提供することができる。
【００２６】
第１０の発明に係る遠隔操作方法は、第９の発明の構成に加えて、複数の機器を選択的に遠隔操作するように、複数の機器のうち、遠隔操作を行なう機器を指定するステップをさらに含む。
【００２７】
第１０の発明によれば、複数の機器のうち、遠隔操作装置を行なう機器を指定することができる。これにより、たとえば１つの遠隔操作装置で、複数の機器を操作することができる。
【００２８】
第１１の発明に係る遠隔操作方法においては、第９または第１０の発明の構成に加えて、時間に関する予め定められた条件は、予め定められた時間ごとに制御信号を送信するという条件である。
【００２９】
第１１の発明によれば、送信ステップにて、予め定められた時間ごとに制御信号が機器に送信することができる。
【００３０】
第１２の発明に係る遠隔操作方法においては、第９または第１０の発明の構成に加えて、時間に関する予め定められた条件は、操作者が操作を行なってから予め定められた時間が経過するまでに次の操作が行なわれなかった場合は制御信号を送信するという条件である。
【００３１】
第１２の発明によれば、操作者が操作を行なってから予め定められた時間が経過するまでに次の操作が行なわれなかった場合に、制御信号を機器に送信することができる。
【００３２】
第１３の発明に係る遠隔操作方法においては、第９ないし第１２のいずれかの発明の構成に加えて、送信ステップは、時間に関する予め定められた条件を満たすことに加えて、遠隔操作を行なう機器の変更に関する条件を満たすように、制御信号を送信するステップを含む。
【００３３】
第１３の発明によれば、送信ステップにて、時間に関する予め定められた条件を満たすことに加えて、遠隔操作を行なう機器の変更に関する条件を満たすように、制御信号が送信される。これにより、たとえば、遠隔操作を行なう機器を変更する際に制御信号が送信されるようにすることができる。
【００３４】
第１４の発明に係る遠隔操作方法においては、第９ないし第１３のいずれかの発明の構成に加えて、操作信号には、複数の種類があり、遠隔操作方法は、操作信号の種類の数を判別するステップと、操作信号が検知された順番を記憶するステップとをさらに含み、送信ステップは、操作信号の種類が１つであると判別された場合は、最後に検知された操作信号に基づいて制御信号を送信するステップを含む。
【００３５】
第１４の発明によれば、制御信号には複数の種類があり、制御信号の種類が１つである場合は、最後に検知された操作信号に基づいた制御信号が送信される。これにより、たとえば同一種類で複数の操作信号が検知された場合は、全ての操作信号に基づいて制御信号を送信することが無くなり、最後に操作者が行なった操作に基づいて制御信号を送信することができる。その結果、送信される制御信号の数を抑制し、遠隔操作装置の負担を抑制することができる。
【００３６】
第１５の発明に係る遠隔操作方法においては、第９ないし第１３のいずれかの発明の構成に加えて、操作信号には、複数の種類があり、遠隔操作方法は、操作信号の種類の数を判別するステップをさらに含み、送信ステップは、操作信号の種類が複数であると判別された場合は、操作信号検知ステップにより検知された全ての操作信号に基づいて制御信号を送信するステップを含む。
【００３７】
第１５の発明によれば、制御信号には複数の種類があり、制御信号の種類が１つである場合は、検知された全ての操作信号に基づいた制御信号が送信される。これにより、操作者の全ての操作に基づいて制御信号を送信することができる。その結果、操作者の意図に応じた制御信号を確実に送信することができる。
【００３８】
第１６の発明に係る遠隔操作方法においては、、第９ないし第１５のいずれかの発明の構成に加えて、遠隔操作方法は、機器を遠隔操作する遠隔操作装置により実行される。受信ステップは、遠隔操作装置が起動する際に、機器の作動に関する情報を受信するステップを含む。
【００３９】
第１６の発明によれば、遠隔操作装置が起動する際に、機器の作動に関する情報が受信される。これにより、機器を遠隔操作する際は、機器の作動状態を確認してから操作を行なうことができる。その結果、機器の作動状態に応じて適切に遠隔操作を行なうことができる。
【００４０】
第１７の発明に係るプログラムは、第９ないし第１６のいずれかの発明に係る遠隔操作方法を、機器を遠隔操作する遠隔操作装置に実行させるプログラムである。
【００４１】
第１７の発明によれば、屋内外を問わず機器の作動状態を確認しながら操作することができ、かつ操作入力が簡便な遠隔操作方法を遠隔操作装置に実行させるプログラムを提供することができる。
【００４２】
第１８の発明に係る記録媒体は、第１７の発明に係るプログラムを記録した記録媒体である。
【００４３】
第１８の発明によれば、屋内外を問わず機器の作動状態を確認しながら操作することができ、かつ操作入力が簡便な遠隔操作方法を遠隔操作装置に実行させるプログラムを記録した記録媒体を提供することができる。
【００４４】
【発明の実施の形態】
以下、図面を参照しつつ、本発明の実施の形態について説明する。以下の説明では、同一の部品には同一の符号を付してある。それらの名称および機能も同一である。したがって、それらについての詳細な説明は繰返さない。
【００４５】
＜第１の実施の形態＞
図１に示すように、本実施の形態に係る携帯電話５００は、家屋１００の屋内に載置された電気機器であるエアコン２００と、テレビ３００と、ビデオ４００と、オーディオ４５０とを遠隔操作する。携帯電話５００は、無線信号を用いてインターネットやＬＡＮ（Ｌｏｃａｌ  Ａｒｅａ  Ｎｅｔｗｏｒｋ）などのネットワークにアクセスして遠隔操作を行う。そのため、電気機器はネットワークに接続されている。これにより、遠隔操作を屋内外の両方から行なうことができる。なお、本実施の形態においては、エアコン２００と、テレビ３００と、ビデオ４００と、オーディオ４５０とを遠隔操作するが、遠隔操作する電気機器は上記のものに限られず、洗濯機、冷蔵庫、電子レンジ、ドア、窓など、その他の機器を遠隔操作するように構成してもよい。また、ネットワークを介さず、携帯電話５００と電気機器との間で直接無線信号を送受信して遠隔操作を行なってもよい。さらに、遠隔操作を行なう機器は、携帯電話５００に限られず、たとえばＰＤＡ（Ｐｅｒｓｏｎａｌ  Ｄｉｇｉｔａｌ  Ａｓｓｉｓｔａｎｔ）や、腕時計、または遠隔操作を行なう機能のみを有したリモートコントローラーでもよい。
【００４６】
図２を参照して、本実施の形態に係る携帯電話５００の内部構造について説明する。携帯電話５００は、電気機器を遠隔操作する遠隔操作回路５０２と、インターネットなどのネットワークに接続するためのネットワーク通信回路５０４と、電話回線に接続して音声信号を送受信し、携帯電話５００により会話をするための通常会話通信回路５０６とを含む。
【００４７】
遠隔操作回路５０２は、入力インターフェイス５０８と、表示インターフェイス５１０と、指定回路５１２と、表示回路５１４と、報知回路５１６と、受信回路５１８と、一時記憶回路５２０と、制御信号生成回路５２２と、送信回路５２４とを含む。
【００４８】
入力インターフェイス５０８は、操作者による操作を操作信号として検知する。表示インタフェース５１０は、各電気機器の操作案内を表示する。また、機器の作動に関する情報も表示し、機器の作動状態を操作者に報知する。指定回路５１２は、操作者の操作に従い、エアコン２００、テレビ３００、ビデオ４００、オーディオ４５０のうち、携帯電話５００により遠隔操作するものを指定する。表示回路５１４は、指定回路５１２により指定された電気機器に対応する操作案内を表示インターフェイス５１０に表示させる。報知回路５１６は、携帯電話５００が、電気機器の作動に関する情報を受信した場合、受信したことを、操作者に報知するため、表示インターフェイス５１０に後述する報知マークを表示させる。なお、音により報知してもよい。受信回路５１８は、電気機器から送信される電気機器の作動に関する情報を受信する。一時記憶回路５２０は、入力インターフェイス５０８により検知された操作信号を、一時記憶する。また、連続して操作信号が検知された場合は、その順番も記憶する。
【００４９】
制御信号生成回路５２２は、一時記憶回路５２０に記憶されている操作信号を、予め定められた時間、たとえば３秒ごとに取出す。なお、予め定められた時間は３秒に限られない。
【００５０】
この制御信号生成回路５２２はさらに、操作信号の種類を判別するための制御種類判別回路５２６を含む。ここで、操作信号の種類とは、設定変更可能な項目を指す。たとえば、エアコン２００を操作する場合、「電源」、「運転モード」、「風量」などである。したがって、「電源ＯＮ」「電源ＯＦＦ」のように電源に関する操作信号は同種類と判別される。「冷房」「暖房」「除湿」「自動」のように運転モードに関する操作信号は同種類と判別される。「風量強」「風量弱」「風量微風」「風量自動」のように風量に関する操作信号は同種類と判別される。制御種類判別回路５２６は、このような操作信号の種類を判別し、その数を判別する。
【００５１】
送信回路５２４は、制御信号生成回路５２２により取出された操作信号に基づいて、電気機器の設定を変更するための制御信号を電気機器に送信する。また、送信回路５２４は、単一制御信号送信回路５２８と、一括送信回路５３０を含む。
【００５２】
単一制御信号送信回路５２８は、制御種類判別回路５２６により操作信号の種類が１つであると判別された場合、予め定められた時間内で、最後に検知された操作信号に基づいて制御信号を送信する。一括送信回路５３０は、制御種類判別回路５２６により、操作信号の種類が複数であると判別された場合、検知されたすべての操作信号に基づいて制御信号を送信する。
【００５３】
制御信号は、ネットワーク通信回路５０４を用いて接続したネットワークを介して、各電気機器に送信される。なお、ネットワーク通信回路５０４を介さず、直接、制御信号を各電気機器に無線信号で送信するように構成してもよい。
【００５４】
図３を参照して、エアコン２００と、テレビ３００と、ビデオ４００と、オーディオ４５０の内部構造について説明する。
【００５５】
エアコン２００、テレビ３００、ビデオ４００、オーディオ４５０はそれぞれ、電気機器操作回路６００を含む。電気機器操作回路６００は、受信回路６０２と、受信回路６０２に接続された制御回路６０４と、内部情報取得回路６０６と、内部情報取得回路６０６に接続された送信回路６０８とを含む。
【００５６】
受信回路６０２は、携帯電話５００から送信された制御信号を受信する。制御回路６０４は、受信された制御信号に基づいて、電気機器を制御する。内部情報取得回路６０６は、電気機器の作動に関する情報を取得し、取得した情報を送信回路６０８に送る。送信回路６０８は、内部情報取得回路６０６により取得された電気機器の作動に関する情報を、携帯電話５００に送信する。
【００５７】
図４ないし図１０を参照して、本実施の形態に係る携帯電話５００を用いた遠隔操作方法について説明する。図４に示すように、本実施の形態に係る携帯電話５００は、画面５５０と、操作部５５２とを含む。この携帯電話５００は、複数の機能を有しており、それらの機能と対応したメニューが、画面５５０に表示される。ここでは、携帯電話５００により、電気機器の遠隔操作を行なう「リモコン」メニューが表示されている。操作者は、操作部５５２の十字キー５５２Ａ、テンキー５５２Ｂ、およびメニューキー５５２Ｃなどを操作することにより、携帯電話５００に所望の動作を実行させる。
【００５８】
操作者が、操作部５５２を操作し、「リモコン」メニューを選択して、携帯電話５００の遠隔操作機能を起動させた場合を想定する。遠隔操作機能を起動させると、起動と同時に、受信回路５１８が各電気機器の作動に関する情報を受信し、図５に示すように、画面５５０の第１表示領域５５４に、電気機器名と、作動に関する情報を表示する。ここでは、電気機器名として、エアコン２００、テレビ３００、ビデオ４００、オーディオ４５０が表示されている。
【００５９】
作動に関する情報は、電源のＯＮあるいはＯＦＦの情報を含み、電源がＯＮの場合は、エアコン２００であれば運転モードを、テレビ３００であれば現在放送中のチャンネルを、ビデオ４００であれば再生、録画、停止、のいずれかの状態を、オーディオ４５０であれば、ＭＤ、ＣＤ、カセット、ラジオのいずれかの状態を表示する。ここでは、テレビ３００およびビデオ４００の電源がＯＮであり、エアコン２００と、オーディオ４５０の電源がＯＦＦであることが表示されている。
【００６０】
第２表示領域５５６には、遠隔操作を行なうことのできる電気機器名が表示される。ここでは、エアコン２００、テレビ３００、ビデオ４００、オーディオ４５０が表示されている。
【００６１】
第２表示領域５５６に表示されている電気機器の中から、遠隔操作を行なう電気機器を選択すると、電源がＯＦＦである電気機器を選択した場合は、携帯電話５００は、選択された電気機器に対して、電源ＯＮを指示する制御信号を送信する。電源がＯＮである電気機器が選択された場合は、電源ＯＮの状態を保たせるため電源ＯＦＦを指示する制御信号が発信されることはない。
【００６２】
なお、ここでは、遠隔操作を行なう電気機器として、エアコン２００が選択された場合を想定する。
【００６３】
図６を参照して、エアコン２００が選択された場合、エアコン２００の電源がＯＦＦであったため、エアコン２００の電源ＯＮを指示する制御信号が、エアコン２００に送信される。このとき、エアコン２００が「運転モード」、「設定温度」、「スイング」、「風向き」、「風量」に関してデフォルト値で運転するように、携帯電話５００からデフォルト値と対応した制御信号も同時に送信される。
【００６４】
制御信号が送信されると、第１表示領域５５４にはエアコン２００の作動に関する情報が表示される。第２表示領域５５６には、エアコン２００の設定のうち、設定変更可能な項目が表示される。ここでは、第１表示領域５５４に、「室温」、「運転モード」、「消費電力」、「設定温度」が表示されている。また、第２表示領域５５６に、「温度設定」、「設定」、「電源ＯＦＦ」が表示される。
【００６５】
図７を参照して、「温度設定」が選択された場合について説明する。この場合、画面５５０は、「温度設定画面」となり、第１表示領域５５４には、「運転モード」、「室温」、「現在の設定温度」が表示される。第２表示領域５５６には、変更された設定温度が表示される。
【００６６】
この状態では、操作部５５２の十字キー５５２Ａを操作することで設定温度を変更することができる。十字キー５５２Ａの上キー５５３Ａを押せば、１回押すごとに、１℃ずつ設定温度が上がる。下キー５５３Ｂを押せば、１回押すごとに、１℃ずつ設定温度が下がる。たとえば、現在の設定温度が２１℃であると想定すると、上キー５５３Ａを３回押せば、２２℃、２３℃、２４℃の順に上がり、下キー５５３Ｂを３回押せば、２０℃、１９℃、１８℃の順で下がる。
【００６７】
ここで、画面５５０が「温度設定画面」となっている状態で、テンキー５５２Ｂやメニューキー５５２Ｃを押すことで、エアコン２００の運転モードや、風向き、風量など、温度とは操作信号の種類が異なるものを変更可能であるように構成してもよい。また、遠隔操作を行なう電気機器を変更可能であるように構成してもよい。
【００６８】
操作者の操作部５５２に対する操作は、操作信号として検知され、一時記憶回路５２０にその順序とともに記憶される。一時記憶回路５２０に記憶された操作信号は、予め定められた時間、たとえば３秒ごとに制御信号生成回路５２２により取出される。ここで、エアコン２００の設定温度のみが変更されたため、制御信号生成回路５２２の制御種類判別回路５２６は、操作信号の種類が１つであると判別する。そのため、予め定められた時間内に検知された操作信号のうち、最後に検知された操作信号のみに基づいて、制御信号がエアコン２００に送信される。たとえば、現在の設定温度が２１℃である場合から、上キー５５３Ａを３回押して、２４℃に設定変更した場合は、２４℃のみを指示する制御信号が送信される。
【００６９】
一方、予め定められた時間内に、温度、運転モード、風向き、風量など、操作信号の種類が異なるものの設定が変更されていれば、制御種類判別回路５２６は、操作信号の種類が複数であると判別する。そのため、検知された全ての操作信号に基づいて、制御信号がエアコン２００に送信される。
【００７０】
制御信号が送信されると、受信回路５１８は、制御信号の指示に基づいて設定を変更した後のエアコン２００の作動に関する情報を受信する。受信回路５１８がエアコン２００の作動に関する情報を受信したときに、操作者が携帯電話５００を操作中であれば、第２表示領域５５６に報知マーク５５８が表示される。操作中でなければ、第１表示領域５５４に表示されているエアコン２００の作動に関する情報が更新される。
【００７１】
十字キー５５２Ａの左キー５５３Ｃは、画面５５０を１つ前の表示形態に戻すための「戻る」キーである。「戻る」キー（十字キー５５２Ａの左キー５５３Ｃ）を押すと、図８に示すように、画面５５０の表示形態が、「温度設定画面」を選択する１つ前の表示形態に戻る。このとき、携帯電話５００は、設定が変更された後のエアコン２００の作動に関する情報を受信したため、第２表示領域５５６には、「受信履歴」メニューが追加されている。この「受信履歴」メニューを選択すると、図９に示すように、画面５５０には、携帯電話５００が過去に受信したエアコン２００の作動に関する情報が表示される。
【００７２】
図６または図８に示す状態において、「設定」メニューを選択した場合について説明する。「設定」メニューでは、複数種類の設定項目を一括して変更することができる。
【００７３】
「設定」を選択すると、画面５５０は、図１０に示す「設定画面」となる。この「設定画面」では、「設定温度」、「スイング」、「風向き」、「風量」についての設定を、一括して実行することができる。それぞれのプルダウンメニューから、所望の状態を選択し、「送信」メニューを選択することにより、それぞれの設定に基づいて、制御信号が送信される。
【００７４】
図６または図８に示す状態において、「電源ＯＦＦ」メニューを選択した場合について説明する。「電源ＯＦＦ」メニューを選択した場合、携帯電話５００は、エアコン２００に、電源を切る指示を与える制御信号を送信する。
【００７５】
携帯電話５００の遠隔操作機能を終了させる場合は、操作部５５２の「切」キー５５２Ｄを押すことで、携帯電話５００の遠隔操作機能を終了させることができる。
【００７６】
図１１ないし図１３を参照して、本実施の形態に係る携帯電話５００が実行するプログラムの制御構造をフローチャートに基づいて説明する。
【００７７】
図１１を参照して、ステップ（以下「ステップ」をＳと表わす）１００にて、携帯電話５００は、各電気機器の作動に関する情報を受信する。
【００７８】
Ｓ１０２にて、携帯電話５００は、画面５５０に、遠隔操作可能な電気機器名と、各電気機器の作動に関する情報を表示する。
【００７９】
Ｓ１０４にて、携帯電話５００は、操作者の操作に従い、遠隔操作を行なう電気機器を指定する。なお、本実施の形態においては、エアコン２００が選択された場合を想定する。
【００８０】
Ｓ１０６にて、携帯電話５００は、指定された電気機器の電源がＯＦＦであるか否かを判別する。電源がＯＦＦである場合は、処理はＳ１０８に移され、そうでない場合は、処理は、図１２に示すＳ１１０に移る。
【００８１】
図１１に戻り、Ｓ１０８にて、携帯電話５００は、電源ＯＮを指示する制御信号および電気機器のデフォルト値に関する制御信号を送信する。
【００８２】
図１２を参照して、Ｓ１１０にて、携帯電話５００は、指定された電気機器の作動に関する情報と、選択可能なメニューを、画面５５０に表示する。
【００８３】
Ｓ１１２にて、携帯電話５００は、受信フラグがセットされているか否かを判別する。受信フラグがセットされている場合は、処理はＳ１１４に移される。そうでなければ、処理はＳ２００に移される。
【００８４】
Ｓ１１４にて、画面５５０の、第２表示領域５５６に、「受信履歴」メニューを追加表示する。
【００８５】
Ｓ２００にて、携帯電話５００は、「温度設定」メニューが選択されたか否かを判別する。「温度設定」メニューが選択された場合、処理は、図１３に示すＳ２０２に移される。そうでなければ、処理は、図１２に示すＳ３００に移される。
【００８６】
図１３を参照して、Ｓ２０２にて、携帯電話５００は、画面５５０に「温度設定画面」を表示する。
【００８７】
Ｓ２０４にて、携帯電話５００は、操作者により操作が行なわれたか否かを判別する。操作が行なわれた場合は、処理はＳ２０８に移される。そうでなければ、処理はＳ２０６に移される。なお、操作が行なわれたか否かは、操作信号が検知されたか否かにより判別される。
【００８８】
Ｓ２０６にて、携帯電話５００は、「戻る」キー（十字キー５５２Ａの左キー５５３Ｃ）が押されたか否かを判別する。「戻る」キー（十字キー５５２Ａの左キー５５３Ｃ）が押された場合は処理はＳ１１０に戻される。そうでなければ、処理はＳ２０４に戻される。
【００８９】
Ｓ２０８にて、携帯電話５００は、検知された操作信号を、その順序とともに記憶する。
【００９０】
Ｓ２１０にて、携帯電話５００は、予め定められた時間ごとに記憶された操作信号を取出す。
【００９１】
Ｓ２１２にて、携帯電話５００は、取出された操作信号の種類の数を判別する。
【００９２】
Ｓ２１４にて、携帯電話５００は、操作信号の種類が複数であるか否かを判別する。操作信号の種類が複数である場合は、処理はＳ２１６に移される。そうでなければ、処理はＳ２１８に移される。
【００９３】
Ｓ２１６にて、携帯電話５００は、検知された全ての操作信号に基づいて制御信号を送信する。
【００９４】
Ｓ２１８にて、携帯電話５００は、予め定められた時間内で、最後に検知された操作信号に基づいて制御信号を送信する。
【００９５】
Ｓ２２０にて、携帯電話５００は、制御信号を送信した電気機器の作動に関する情報を受信する。
【００９６】
Ｓ２２２にて、携帯電話５００は、操作者が操作を行なっているか否かを判別する。操作を行なっていると判別されれば、処理はＳ２２４に移される。そうでなければ、処理はＳ２３０に移される。なお、操作者が操作を行なっているか否かは、操作信号が検出されているか否かにより、判別される。
【００９７】
Ｓ２２４にて、携帯電話５００は、受信した電気機器の作動に関する情報を記憶する。
【００９８】
Ｓ２２６にて、携帯電話５００は、画面５５０の第２表示領域５５６に報知マーク５５８を表示し、操作者に、電気機器の作動に関する情報を受信したことを報知する。
【００９９】
Ｓ２２８にて、携帯電話５００は、受信フラグをセットする。
Ｓ２３０にて、携帯電話５００は、画面５５０の第１表示領域５５４に表示されている電気機器の作動に関する情報を更新する。
【０１００】
図１２に戻り、Ｓ３００にて、携帯電話５００は、「設定」メニューが選択されたか否かを判別する。「設定」メニューが選択された場合、処理はＳ３０２に移される。そうでなければ、処理はＳ４００に移される。
【０１０１】
Ｓ３０２にて、携帯電話５００は、「設定画面」を表示する。
Ｓ３０４にて、携帯電話５００は、「送信」メニューが選択されたか否かを判別する。「送信」メニューが選択された場合、処理はＳ３０６に移される。そうでなければ、「送信」メニューが選択されるまでＳ３０４を繰返す。
【０１０２】
Ｓ３０６にて、携帯電話５００は、「設定画面」での設定に基づいた制御信号を、電気機器に送信する。
【０１０３】
Ｓ４００にて、携帯電話５００は、「電源ＯＦＦ」メニューが選択されたか否かを判別する。「電源ＯＦＦ」メニューが選択された場合は、処理はＳ４０２に移される。そうでなければ、処理はＳ５００に移される。
【０１０４】
Ｓ４０２にて、携帯電話５００は、電気機器に、電源ＯＦＦを指示する制御信号を送信する。
【０１０５】
Ｓ５００にて、携帯電話５００は、受信フラグがセットされているか否かを判別する。受信フラグがセットされている場合は、処理はＳ５０２に移される。そうでなければ、処理はＳ６００に移される。
【０１０６】
Ｓ５０２にて、携帯電話５００は、「受信履歴」メニューが選択されたか否かを判別する。「受信履歴」メニューが選択された場合は、処理はＳ５０４に移される。そうでなければ、処理はＳ６００に移される。
【０１０７】
Ｓ５０４にて、携帯電話５００は、画面５５０に、受信履歴画面を表示する。Ｓ５０６にて、携帯電話５００は、「戻る」キー（十字キー５５２Ａの左キー５５３Ｃ）が押されたか否かを判別する。「戻る」キーが押された場合は、処理はＳ１１０に戻される。そうでなければ、戻るボタンが押されるまでＳ５０６を繰返す。
【０１０８】
Ｓ６００にて、携帯電話５００は、「切」キー５５２Ｄが押されたか否かを判別する。「切」キー５５２Ｄが押された場合は処理はＳ６０２に移される。そうでなければ、処理はＳ２００に戻される。
【０１０９】
Ｓ６０２にて、携帯電話５００は、遠隔操作機能を終了する。
このプログラムは、予め携帯電話５００のメモリ（図示せず）に記憶させておくほか、ＣＤ−ＲＯＭやフレキシブルディスクなどの記録媒体に格納されて流通させ、コンピュータなどを介して携帯電話５００にインストールするようにしてもよい。また、インターネットサーバに記憶させておき、ダウンロードするようにしてもよい。
【０１１０】
以上の構造およびフローチャートに基づく、本実施の形態に係る形態電話５００の動作について説明する。
【０１１１】
「リモコン」メニューが選択され、携帯電話５００の遠隔操作機能が起動すると、各電機機器の作動に関する情報が受信され（Ｓ１００）、画面５５０に、遠隔操作可能な電気機器名と、電気機器の作動に関する情報が表示される（Ｓ１０２）。
【０１１２】
このように、遠隔操作機能の起動の際に、各電機機器の作動に関する情報を受信するので、操作者は、電気機器の作動状態に応じて適切に遠隔操作を行なうことができる。また、画面５５０に表示された複数電気機器の中から、遠隔操作を行なう電気機器を選択できるので、１つの携帯電話５００を用いて複数の電気機器を遠隔操作することができる。
【０１１３】
操作者の操作に従い、遠隔操作を行なう電気機器が指定されると（Ｓ１０４）、指定された電気機器の電源がＯＦＦであるか否かが判別される（Ｓ１０６）。なお、本実施の形態においては、エアコン２００が指定された場合を想定する。
【０１１４】
電源がＯＦＦである場合（Ｓ１０６にてＹＥＳ）は、電源ＯＮを指示する制御信号および電気機器のデフォルト値に関する制御信号が送信され（Ｓ１０８）、指定された電気機器の作動に関する情報と、選択可能なメニューが、画面５５０に表示される（Ｓ１１０）。電源がＯＮである場合（Ｓ１０６にてＮＯ）は、制御信号が送信されることなく、指定された電気機器の作動に関する情報と、選択可能なメニューが、画面５５０に表示される（Ｓ１１０）。
【０１１５】
このとき、受信フラグがセットされているか否かが判別され（Ｓ１１２）、受信フラグがセットされている場合（Ｓ１１２にてＹＥＳ）は、画面５５０の第２表示領域５５６に、「受信履歴」メニューが追加表示される（Ｓ１１４）。そうでなければ（Ｓ１１２にてＮＯ）、「受信履歴」メニューの追加表示は行なわれない。
【０１１６】
次に、操作者により、どのメニューが選択されたかが判別され、選択されたメニューに対応した動作が行なわれる。（Ｓ２００、Ｓ３００、Ｓ４００、Ｓ５０２、Ｓ６００）
「温度設定」メニューが選択された場合（Ｓ２００にてＹＥＳ）は、画面５５０に「温度設定画面」が表示され（Ｓ２０２）、操作者により操作が行なわれたか否かが判別される（Ｓ２０４）。操作が行なわれた場合（Ｓ２０４にてＹＥＳ）は、検知された操作信号が、その順序とともに記憶される（Ｓ２０８）。そうでなければ（Ｓ２０４にてＮＯ）、「戻る」キー（十字キー５５２Ａの左キー５５３Ｃ）が押されたか否かが判別される（Ｓ２０６）。「戻る」キーが押された場合（Ｓ２０６にてＹＥＳ）、処理はＳ１１０に戻され、そうでない場合（Ｓ２０６にてＮＯ）、処理はＳ２０４に戻される。
【０１１７】
記憶された操作信号は、予め定められた時間ごと、たとえば３秒ごとに取出される（Ｓ２１０）。取出された操作信号は、その種類の数が判別され（Ｓ２１２）、操作信号の種類の数が複数であるか否かが判別される（Ｓ２１４）。
【０１１８】
取出された操作信号の種類の数が複数である場合（Ｓ２１４にてＹＥＳ）、検知された操作信号のすべてに基づいて制御信号が送信される（Ｓ２１６）。そうでない場合（Ｓ２１４にてＮＯ）、予め定められた時間内で、最後に検知された操作信号に基づいて制御信号が送信される（Ｓ２１８）。
【０１１９】
このように、予め定められた時間ごとに制御信号が電気機器に自動的に送信されるので、操作者は携帯電話５００に対して、制御信号の送信を指示する操作を行なう必要がない。
【０１２０】
また、操作信号の種類が複数である場合は、全ての操作信号に基づいて制御信号が送信されるので、操作者の意図に応じた制御信号を確実に送信することができる。操作信号の種類が複数でない場合、すなわち１つである場合は、最後に検知された操作信号に基づいて制御信号が送信される。そのため、送信される制御信号の数を抑制し、携帯電話５００の負担を抑制することができる。
【０１２１】
制御信号が送信されると（Ｓ２１６、Ｓ２１８）、エアコン２００の作動に関する情報が受信され（Ｓ２２０）、操作者により操作が行なわれているか否かが判別される（Ｓ２２２）。操作が行なわれている場合（Ｓ２２２にてＹＥＳ）は、受信した情報が記憶され（Ｓ２２４）、画面５５０の第２表示領域５５６に報知マーク５５８が表示される（Ｓ２２６）。これにより、操作者は、エアコン２００の設定が変更されたことを確認できる。このとき、受信フラグがセットされる（Ｓ２２８）。
【０１２２】
操作が行なわれていない場合（Ｓ２２２にてＮＯ）、画面５５０の第１表示領域５５４に表示されている電気機器の作動に関する情報が更新される（Ｓ２３０）。これにより、操作者は、屋外から操作した場合であっても、エアコン２００の作動状態を確認しながら操作を行なうことができる。
【０１２３】
「設定」メニューが選択された場合（Ｓ３００にてＹＥＳ）、画面５５０に「設定画面」が表示される（Ｓ３０２）。この「設定画面」では電気機器の設定が一括して実行される。設定が完了したか否かは、「送信」メニューが選択されたか否かで判別される。（Ｓ３０４）「送信」メニューが選択された場合（Ｓ３０４にてＹＥＳ）、各設定と対応した制御信号が送信される（Ｓ３０６）。そうでなければ（Ｓ３０４にてＮＯ）、「送信」メニューが選択されるまでＳ３０４を繰返す。
【０１２４】
「電源ＯＦＦ」メニューが選択された場合（Ｓ４００にてＹＥＳ）、エアコン２００に、電源ＯＦＦを指示する制御信号が送信される（Ｓ４０２）。
【０１２５】
「受信履歴」メニューが選択されるには、まず、受信フラグがセットされているか否かが判別される（Ｓ５００）。受信フラグがセットされている場合（Ｓ５００にてＹＥＳ）は、「受信履歴」メニューが選択されたか否かが判別される（Ｓ５０２）。そうでない場合は（Ｓ５００にてＮＯ）、画面５５０には「受信履歴」メニューが表示されていないので、「受信履歴」メニューが選択されることはない。
【０１２６】
「受信履歴」メニューが選択された場合（Ｓ５０２にてＹＥＳ）、画面５５０に、「受信履歴画面」が表示される（Ｓ５０４）。この「受信履歴画面」は、「戻る」キー（十字キー５５２Ａの左キー５５３Ｃ）が押されるまで表示される（Ｓ５０６にてＮＯ）。「戻る」キー（十字キー５５２Ａの左キー５５３Ｃ）が押されると（Ｓ５０６にてＹＥＳ）、画面５５０の表示形態が、１つ前の表示形態に戻される（Ｓ１１０）。
【０１２７】
「切」キー５５２Ｄが押されると（Ｓ６００にてＹＥＳ）、携帯電話５００の遠隔操作機能が終了される（Ｓ６０２）。
【０１２８】
以上のように、本実施の形態によれば、十字キー５５２Ａの操作は、操作信号として検知され、一時記憶回路５２０に記憶される。一時記憶回路５２０に記憶された操作信号は、予め定められた時間ごとに制御信号生成回路５２２により取出される。取出された操作信号に基づいて、送信回路５２４により制御信号が電気機器に送信される。制御信号が送信されると、受信回路５１８は、制御信号の指示に基づいて作動した後のエアコン２００の作動に関する情報を受信する。情報が受信されると、第１表示領域５５４に表示されているエアコン２００の作動に関する情報が更新される。これにより、予め定められた時間ごとに制御信号が電気機器に自動的に送信される。そのため、操作者は携帯電話５００に対して、制御信号の送信を指示する操作を行なう必要がなく、操作が簡便である。また、制御信号が送信されると、機器の作動に関する情報が受信され、第１表示領域５５４に表示されているエアコン２００の作動に関する情報が更新される。このため、操作者は、たとえば屋外から操作した場合であっても、電気機器の作動状態を確認しながら操作を行なうことができる。
【０１２９】
なお、本実施の形態においては、携帯電話５００によりエアコン２００を遠隔操作する場合を想定したが、遠隔操作を実行する機器は携帯電話５００に限られない。また、遠隔操作される電機機器はエアコン２００に限られない。
【０１３０】
＜第２の実施の形態＞
本実施の形態に係る携帯電話５００において、制御信号生成回路５２２は、一時記憶回路５２０に記憶された操作信号を、操作者が操作を行なってから予め定められた時間が経過するまでに次の操作が行なわれなかった場合に取出す。なお、その他のハードウエア構成については前述の第１の実施の形態と同じである。それらについての機能も同じである。したがって、それらについての詳細な説明はここでは繰返さない。
【０１３１】
図１４を参照して、本実施の形態に係る携帯電話５００が実行するプログラムの制御構造をフローチャートに基づいて説明する。なお、本実施の形態においては、前述の第１の実施の形態におけるＳ２１０がＳ７００に置き換わっている。その他のフローについては、前述の第１の実施の形態と同一であるため、それらについての詳細な説明はここでは繰返さない。
【０１３２】
Ｓ７００にて、携帯電話５００は、一時記憶回路５２０に記憶された操作信号を、操作者が操作を行なってから予め定められた時間が経過するまでに次の操作が行なわれなかった場合に取出す。
【０１３３】
以上のように、本実施の形態に係る携帯電話５００によると、一時記憶回路５２０に記憶された操作信号を、操作者が操作を行なってから予め定められた時間が経過するまでに次の操作が行なわれなかった場合に取出し、制御信号を電気機器に送信することができる。
【０１３４】
＜第３の実施の形態＞
本実施の形態に係る携帯電話５００において、制御信号生成回路５２２は、一時記憶回路５２０に記憶された操作信号を、遠隔操作を行なう電気機器が変更された場合に取出す。遠隔操作を行なう電気機器は、メニューキー５５２Ｃを押した後、テンキー５５２Ｂを押すことにより変更する。たとえば、テンキー５５２Ｂの「１」、「２」、「３」、「４」がそれぞれ、エアコン２００、テレビ３００、ビデオ４００、オーディオ４５０と対応していると想定する。メニューキー５５２Ｃを押した後、対応するテンキー５５２Ｂを押すことで、遠隔操作を行なう電気機器が変更される。
なお、その他のハードウエア構成については前述の第１の実施の形態と同じである。それらについての機能も同じである。したがって、それらについての詳細な説明はここでは繰返さない。
【０１３５】
図１５を参照して、本実施の形態に係る携帯電話５００が実行するプログラムの制御構造をフローチャートに基づいて説明する。なお、本実施の形態においては、前述の第１の実施の形態におけるＳ２１０がＳ８００に置き換わっている。その他のフローについては、前述の第１の実施の形態と同一であるため、それらについての詳細な説明はここでは繰返さない。
【０１３６】
Ｓ８００にて、携帯電話５００は、一時記憶回路５２０に記憶された操作信号を、遠隔操作を行なう電気機器が変更された場合に取出す。
【０１３７】
以上のように、本実施の形態に係る携帯電話５００によると、一時記憶回路５２０に記憶された操作信号を、遠隔操作を行なう電気機器が変更された場合に取出し、制御信号を電気機器に送信することができる。
【０１３８】
＜第４の実施の形態＞
本実施の形態に係る携帯電話５００において、制御信号生成回路５２２は、一時記憶回路５２０に記憶された操作信号を、一定時間ごとに、および遠隔操作を行なう電気機器が変更された場合に取出す。電気機器の変更方法は、前述の第３の実施の形態と同一である。また、その他のハードウエア構成については前述の第１の実施の形態と同じである。それらについての機能も同じである。したがって、それらについての詳細な説明はここでは繰返さない。
【０１３９】
図１６を参照して、本実施の形態に係る携帯電話５００が実行するプログラムの制御構造をフローチャートに基づいて説明する。なお、本実施の形態においては、前述の第１の実施の形態におけるＳ２１０がＳ９００に置き換わっている。その他のフローについては、前述の第１の実施の形態と同一であるため、それらについての詳細な説明はここでは繰返さない。
【０１４０】
Ｓ９００にて、携帯電話５００は、一時記憶回路５２０に記憶された操作信号を、一定時間ごとに、および遠隔操作を行なう電気機器が変更された場合に取出す。
【０１４１】
以上のように、本実施の形態に係る携帯電話５００によると、一時記憶回路５２０に記憶された操作信号を、一定時間ごとに、および遠隔操作を行なう電気機器が変更された場合に取出し、制御信号を電気機器に送信することができる。
【０１４２】
なお、操作信号を、予め定められた時間が経過するまでに次の操作が行なわれなかった場合、および遠隔操作を行なう電気機器が変更された場合に取出すように構成してもよい。
【０１４３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】第１の実施の形態に係る携帯電話と、携帯電話により遠隔操作される電気機器を示した全体構成図である。
【図２】第１の実施の形態に係る携帯電話の制御ブロック図である。
【図３】第１の実施の形態に係る携帯電話により遠隔操作される電気機器に設けられた電気機器操作回路の制御ブロック図である。
【図４】第１の実施の形態に係る携帯電話を示す図である。
【図５】第１の実施の形態に係る携帯電話を示す図である。
【図６】第１の実施の形態に係る携帯電話を示す図である。
【図７】第１の実施の形態に係る携帯電話を示す図である。
【図８】第１の実施の形態に係る携帯電話を示す図である。
【図９】第１の実施の形態に係る携帯電話の画面に表示された受信履歴を示す図である。
【図１０】第１の実施の形態に係る携帯電話の画面に表示された「設定画面」を示す図である。
【図１１】第１の実施の形態に係る携帯電話の制御構造を示すフローチャートである。
【図１２】第１の実施の形態に係る携帯電話の制御構造を示すフローチャートである。
【図１３】第１の実施の形態に係る携帯電話の制御構造を示すフローチャートである。
【図１４】第２の実施の形態に係る携帯電話の制御構造を示すフローチャートである。
【図１５】第３の実施の形態に係る携帯電話の制御構造を示すフローチャートである。
【図１６】第４の実施の形態に係る携帯電話の制御構造を示すフローチャートである。
【符号の説明】
１００  家屋、２００  エアコン、３００  テレビ、４００  ビデオ、４５０オーディオ、５００  携帯電話、５０２  遠隔操作回路、５０８  入力インターフェース、５１０  表示インターフェース、５１２  指定回路、５１４  表示回路、５１６  報知回路、５１８  受信回路、５２０  一時記憶回路、５２２  制御信号生成回路、５２６  制御種類判別回路、５２４  送信回路、５２８  単一制御信号送信回路、５３０  一括送信回路、５５０  画面、５５２  操作部、５５４  第１表示領域、５５６  第２表示領域、５５８  報知マーク、６００  電気機器操作回路、６０２  受信回路、６０４  制御回路、６０６  内部情報取得回路、６０８  送信回路。
【図１】
2005027025.tif 000003
【図２】
2005027025.tif 000004
【図３】
2005027025.tif 000005
【図４】
2005027025.tif 000006
【図５】
2005027025.tif 000007
【図６】
2005027025.tif 000008
【図７】
2005027025.tif 000009
【図８】
2005027025.tif 000010
【図９】
2005027025.tif 000011
【図１０】
2005027025.tif 000012
【図１１】
2005027025.tif 000013
【図１２】
2005027025.tif 000014
【図１３】
2005027025.tif 000015
【図１４】
2005027025.tif 000016
【図１５】
2005027025.tif 000017
【図１６】
2005027025.tif 000018